(57)【要約】【課題】低コストで閉塞部材のぶかつきを確実に防止できる閉塞部材取付構造を得る。【解決手段】コンソールパネル１４の開口の縁部１８Ｅの前端及び後端には、縁部１８Ｅに固定される固定片２４と、この固定片２４から直角に延出される案内片２６とが一体的に構成された取付ピース２２が設けられる。固定片２４の上面２４Ｕ及び案内片２６の内面２６Ｕに接着剤２８によってパーキングブレーキブーツ２０が接着されて落とし込み部３０が構成されている。落とし込み部３０は、パーキングブレーキレバー１６の動作や位置等に関わらず維持されるので、ぶかつきを防止できる。ぶかつき防止のための裏打ち材等が不要で、低コストとなる。【選択図】図２
2007154986.tif 000002
【特許請求の範囲】
【請求項１】
可撓性を有し車室内に設けられた開口の少なくとも一部を覆って閉塞すると共に貫通孔が形成された閉塞部材と、
前記開口の縁部に固定されると共に前記閉塞部材が取り付けられる固定片と、
前記車室内から車室外側へ向かって前記固定片から延出され、前記閉塞部材が取り付けられる案内片と、
を有することを特徴とする閉塞部材取付構造。
【請求項２】
前記案内片が、前記固定片に対し略直角に延出されていることを特徴とする請求項１に記載の閉塞部材取付構造。
【請求項３】
前記閉塞部材が、接着剤によって前記固定片及び前記案内片に接着されていることを特徴とする請求項１又は請求項２に記載の閉塞部材取付構造。
【請求項４】
可撓性を有し車室内に設けられた開口の少なくとも一部を覆って閉塞すると共に貫通孔が形成された閉塞部材と、
前記閉塞部材の貫通孔の周囲において、閉塞部材を部分的に車室内に膨出させた山部と、
前記山部の周囲において、閉塞部材を山部と反対方向に膨出させた落とし込み部と、
前記開口の縁部に固定されると共に前記閉塞部材が取り付けられる固定片と、
前記固定片から延出され、前記落とし込み部を前記山部と反対方向に膨出された状態で拘束する拘束片と、
を有することを特徴とする閉塞部材取付構造。
【発明の詳細な説明】
【技術分野】
【０００１】
本発明は、閉塞部材取付構造に関し、さらに詳しくは、車室内に設けられた開口の少なくとも一部を覆って閉塞する閉塞部材を、開口の縁部に取り付けるための閉塞部材取付構造に関する。
【背景技術】
【０００２】
車室内において、たとえばパーキングブレーキレバーやシフトレバー等は、これらレバーと車室内の開口との間を、ブーツ（閉塞部材）が閉塞している。
【０００３】
一例として特許文献１には、開口部内周面に沿って上方に立ち上げられる筒状部を一体に設けた裾止めフレームを用いた、シフトレバーブーツの取付構造が記載されている。
【０００４】
ところで、実際のパーキングブレーキレバーやシフトレバーの使用状況では、ブーツが部分的に車室内へと膨出する現象、いわゆる「ぶかつき」が生じることがある。
【０００５】
このぶかつきを防止するためには、たとえばブーツに裏打ち材を貼着することも考えられるが、より低コストで、ぶかつきを確実に防止できる取付構造が望まれる。
【特許文献１】実開昭６１−１７４３４１号公報
【発明の開示】
【発明が解決しようとする課題】
【０００６】
本発明は上記事実を考慮し、低コストで閉塞部材のぶかつきを確実に防止できる閉塞部材取付構造を得ることを課題とする。
【課題を解決するための手段】
【０００７】
請求項１に記載の発明では、可撓性を有し車室内に設けられた開口の少なくとも一部を覆って閉塞する閉塞部材と、前記開口の縁部に固定されると共に前記閉塞部材が取り付けられる固定片と、前記車室内から車室外側へ向かって前記固定片から延出され、前記閉塞部材が取り付けられる案内片と、を有することを特徴とする。
【０００８】
したがって、固定片が開口の縁部に固定され、この固定片に閉塞部材が取り付けられて、閉塞部材が開口の少なくとも一部を覆った状態となる。閉塞部材は可撓性を有しているので、たとえば貫通孔内にパーキングブレーキレバーやシフトレバー等の部材が配置されている場合には、これらの部材の動きを制限しない。
【０００９】
また、固定片からは、車室内から車室外側へ向かって案内片が延出されており、この案内片に閉塞部材が取り付けられている。閉塞部材は案内片によって車室外側へ案内されているので、この案内された部分（落とし込み部）を維持して、閉塞部材のぶかつきを確実に防止できる。たとえば、貫通孔内のパーキングブレーキレバーやシフトレバー等の部材の動きに対しても、これに起因する閉塞部材の車室内への膨出（ぶかつき）を防止できる。しかも、ぶかつき防止のために閉塞部材に裏打ち材を貼着する必要がないので、低コストとなる。
【００１０】
請求項２に記載の発明では、請求項１に記載の発明において、前記案内片が、前記固定片に対し略直角に延出されていることを特徴とする。
【００１１】
すなわち、固定片に対する案内片の成す角は特に限定されず、閉塞部材を車室外側へ向かって案内してぶかつきを防止できればよいが、このように略直角とすれば、その効果が高くなり、また、閉塞部材を過度に折り曲げないので、好ましい。
【００１２】
請求項３に記載の発明では、請求項１又は請求項２に記載の発明において、前記閉塞部材が、接着剤によって前記固定片及び前記案内片に接着されていることを特徴とする。
【００１３】
このように接着剤で閉塞部材を固定片及び案内片に接着することで、より低コストで取り付けできる。
【００１４】
請求項４に記載の発明では、可撓性を有し車室内に設けられた開口の少なくとも一部を覆って閉塞すると共に貫通孔が形成された閉塞部材と、前記閉塞部材の貫通孔の周囲において、閉塞部材を部分的に車室内に膨出させた山部と、前記山部の周囲において、閉塞部材を山部と反対方向に膨出させた落とし込み部と、前記開口の縁部に固定されると共に前記閉塞部材が取り付けられる固定片と、前記固定片から延出され、前記落とし込み部を前記山部と反対方向に膨出された状態で拘束する拘束片と、を有することを特徴とする。
【００１５】
したがって、固定片が開口の縁部に固定され、この固定片に閉塞部材が取り付けられて、閉塞部材が開口の少なくとも一部を覆った状態となる。閉塞部材は可撓性を有しているので、たとえば貫通孔内にパーキングブレーキレバーやシフトレバー等の部材が配置されている場合には、これら部材の動きを制限しない。
【００１６】
貫通孔の周囲は、閉塞部材が車室内に膨出されて山部とされ、さらに山部の周囲は反対方向に膨出されて落とし込み部とされている。ここで、固定片からは、落とし込み部を山部と反対方向に膨出された状態で拘束する拘束片が延出されている。すなわち閉塞部材は拘束片によって山部と反対方向へ膨出された状態に維持されているので、閉塞部材のぶかつきを確実に防止できる。たとえば、貫通孔内のパーキングブレーキレバーやシフトレバー等の部材の動きに対しても、閉塞部材の車室内への膨出（ぶかつき）を防止できる。しかも、ぶかつき防止のために閉塞部材に裏打ち材を貼着する必要がないので、低コストとなる。
【００１７】
なお、上記各請求項に係る発明において、閉塞部材は開口の全部を閉塞することが多いが、一部のみを閉塞していてもよい。また、固定片は開口の縁部と別体で形成されたものを後工程で固定してもよいが、あらかじめ一体的に成形されていてもよい。
【発明の効果】
【００１８】
本発明は上記構成としたので、低コストで閉塞部材のぶかつきを確実に防止できる。
【発明を実施するための最良の形態】
【００１９】
図１及び図２には、本発明の一実施形態の閉塞部材取付構造１２が示されている。本実施形態では一例として、自動車の車室内のコンソールパネル１４のパーキングブレーキレバー１６に、閉塞部材取付構造１２を適用したものを挙げている。以下、車両前方を矢印ＦＲで、上方を矢印ＵＰで、車幅方向を矢印Ｗでそれぞれ示す。
【００２０】
コンソールパネル１４には、開口１８が形成されている。この開口１８内にはパーキングブレーキレバー１６が配置されており、乗員が把持部１６Ｈを把持して回動させることで、パーキングブレーキの操作を行うことができる（図２参照）。
【００２１】
開口１８内には、パーキングブレーキブーツ２０が配置されており、その中央にはパーキングブレーキレバー１６が貫通される貫通孔４２が形成されている。したがって、パーキングブレーキ２０によって、パーキングブレーキレバー１６と開口１８の縁部１８Ｅとの隙間が閉塞されている。また、パーキングブレーキブーツ２０は可撓性を有しており、パーキングブレーキレバー１６の動きを制限しないようになっている。なお、パーキングブレーキブーツ２０がこのような可撓性を有するようにするためには、たとえば材料自体として可撓性を有するもの（革、布、ゴム等）を用いてもよいし、その形状を工夫する（一例としてジャバラ状）等によって、全体として可撓性を有する（変形可能とする）構造でもよい。
【００２２】
貫通孔４２の周囲のパーキングブレーキブーツ２０は、車室内側に膨出されて山部４４とされている。さらに、山部４４の周囲において、パーキングブレーキブーツ２０は山部４４と反対方向、すなわち車室の外側に膨出されて、落とし込み部３０とされている。
【００２３】
開口１８の縁部１８Ｅの前端及び後端には、取付ピース２２が固定されている。取付ピース２２は、車幅方向に見た端面がＬ字状に形成されており、縁部１８Ｅに固定される固定片２４と、この固定片２４から直角に延出される案内片２６とが一体的に構成されている。固定片２４は縁部１８Ｅに貼着されており、これによって取付ピース２２が縁部１８Ｅに確実に固定される。固定状態で、案内片２６は車室の外側に向かって延出されている。
【００２４】
パーキングブレーキブーツ２０の縁部２０Ｅは、開口１８の縁部１８Ｅに沿って接着されている。ここで特に、図２にも示すように、固定片２４の上面２４Ｕ（車室内側の面）だけでなく、案内片２６の内面２６Ｕ（開口１８の内側の面）にも、接着剤２８によってパーキングブレーキブーツ２０が接着されており、これによって、パーキングブレーキブーツ２０の落とし込み部３０が、パーキングブレーキレバー１６の動作及び位置に関わらず、車室の外側に向かって部分的に案内されて、この状態が維持されるようになっている。この点において、案内片２４は、本発明の拘束片にもなっている。
【００２５】
次に、本実施形態の作用を説明する。
【００２６】
本実施形態のパーキングブレーキブーツ２０は可撓性を有しているので、図２に示すように、乗員は把持部１６Ｈを把持してパーキングブレーキレバー１６を回動させることができる。
【００２７】
また、パーキングブレーキブーツ２０には車室の外側に向かって部分的に案内された落とし込み部３０が構成されており、この落とし込み部３０が案内片２６に接着されて、落とし込まれた状態に確実に維持されるようになっている。このため、パーキングブレーキレバー１６を回動させた場合に、パーキングブレーキレバー１６がどのような位置にあっても、いわゆるぶかつきを確実に防止できる。ぶかつきが生じないので、見栄えも向上する。これに対し、図３に示すように案内片がない取付ピース３４を用いた閉塞部材取付構造３２では、案内片によって落とし込み部３０が維持されないので、パーキングブレーキレバー１６の操作等に起因して、ぶかつき３６が発生するおそれがある。
【００２８】
しかも、本実施形態では、ぶかつきを防止するために、パーキングブレーキブーツ２０に裏打ち材を貼着する必要がないので、低コストで構成できる。裏打ち材を貼着するための手段（接着剤等）も不要となり、この点でも低コストとなる。
【００２９】
なお、上記では、案内片２６が固定片２４に対して略直角に延出された形状の取付ピース２２を例に挙げたが、この角度は略直角に限定されない。ただし、略直角とすれば、案内片２６の固定片２４からの延出長に対して、パーキングブレーキブーツ２０の一部（落とし込み部３０）を車室の外側に向かって効果的に案内でき、好ましい。かかる観点から、ここでいう「略直角」とは、固定片２４と案内片２６の成す角が４５度〜１３５度であればよい。
【００３０】
また、パーキングブレーキブーツ２０の縁部２０Ｅを固定片２４及び案内片２６に取り付ける手段も特に限定されないが、上記したように接着剤で接着すると、簡単な構成で確実に取り付けでき、好ましい。接着剤に代えて（あるいは併用して）溶着や融着により取り付けてもよいし、ビスやクリップ等で取り付けてもよい。
【００３１】
さらに上記では、本発明の閉塞部材取付構造１２を自動車の車室内のコンソールパネル１４のパーキングブレーキレバー１６に適用した例を挙げたが、適用例はこれに限定されない。車室内の開口の少なくとも一部を閉塞部材が閉塞しており、この閉塞部材のぶかつきが懸念されるような部位に本発明を好ましく適用できる。このような部位としては、たとえば、シフトレバーやコラムカバーを挙げることができる。とくに、シフトレバーやコラムカバーでは回動中心が２つ以上存在している場合もあり、シフトレバーやコラムカバーの動作がパーキングブレーキレバーと比較して複雑になることもあるが、これに対応させて取付ピースを配置すれば、ぶかつきを確実に防止できる。もちろん、パーキングブレーキに本発明を適用する場合でも、開口１８の縁部１８Ｅの前端及び後端に取付ピース２２を固定した上記実施形態の例に限らず、たとえば、開口１８の縁部１８Ｅの車幅方向端部に取付ピース２２を用いてもよい。
【図面の簡単な説明】
【００３２】
【図１】本発明の一実施形態の閉塞部材取付構造を示す分解斜視図である。
【図２】本発明の一実施形態の閉塞部材取付構造を車両前後方向の断面で示す断面図である。
【図３】比較例の閉塞部材取付構造を車両前後方向の断面で示す断面図である。
【符号の説明】
【００３３】
１２  閉塞部材取付構造
１４  コンソールパネル
１６  パーキングブレーキレバー
１６Ｈ      把持部
１８  開口
１８Ｅ      縁部
２０  パーキングブレーキブーツ（閉塞部材）
２０Ｅ      縁部
２２  取付ピース
２４  固定片
２４Ｕ      上面
２６  案内片（拘束片）
２６Ｕ      内面
２８  接着剤
３０  落とし込み部
４２  貫通孔
４４  山部
【図１】
2007154986.tif 000003
【図２】
2007154986.tif 000004
【図３】
2007154986.tif 000005